(57)【要約】      （修正有）【課題】応答者が相手の情報を聞き取れない場合であっても聞き直すことなく正確に把握し、転送先相手に正確に口頭で伝えることが可能な技術を提供する。【解決手段】保留機能を有する電話装置において、着信に応答して通話を確立すると通話相手の音声を録音する着信応答時録音手段と、通話中に保留操作を検出した場合に前記録音した音声を再生する保留操作時再生手段とを有することを特徴とする保留と連動する録音再生機能を有する。【選択図】図１
2012213001.tif 000002
【特許請求の範囲】
【請求項１】
保留機能を有する電話装置において、
着信に応答して通話を確立すると通話相手の音声を録音する着信応答時録音手段と、
通話中に保留操作を検出した場合に前記録音した音声を再生する保留操作時再生手段と、を有することを特徴とする保留と連動する録音再生機能を有する電話装置。
【請求項２】
請求項１に記載の電話装置であって、
前記着信応答時録音手段は、着信に応答した時から所定時間までの通話相手の音声を録音することを特徴とする保留と連動する録音再生機能を有する電話装置。
【請求項３】
請求項１に記載の電話装置であって、
前記保留操作時再生手段は、着信に応答した時から所定時間までの前記録音した音声を再生することを特徴とする保留と連動する録音再生機能を有する電話装置。
【発明の詳細な説明】
【技術分野】
【０００１】
本発明は、保留転送機能及び、録音再生機能を有する電話機の録音再生に関する。
【背景技術】
【０００２】
従来から保留転送は一般的に利用されているが、応答者は保留転送前に発信者の情報（会社名、氏名）を転送先相手に正確に伝えなくてはならない。しかし、周囲の雑音や聞き漏らしなど、様々な理由で情報（会社名、氏名）を正確に把握できない場合に聞き直すことがあるが、聞き直すことで、相手に不快感を与えることがある。これを解決するために、特許文献１では通話内容を録音しておき、その通話録音内容を必要に応じて転送先相手に転送する技術が公開されている。これにより、転送先の相手は転送された通話録音を聞くことで、情報（会社名、氏名）を把握することができる。
【特許文献１】特許公開２００４−１８６８６２号公報
【発明の概要】
【発明が解決しようとする課題】
【０００３】
しかしながら、特許文献１に記載の技術は、転送先相手が再生操作を行うことで通話録音を再生するので、転送先相手が録音内容を聞ける状態ではない場合、情報（会社名、氏名）を把握することができないという問題がある。また、応答者が相手を確認せず、転送してはいけない相手からの電話を転送してしまった場合、転送先相手に迷惑になることが考えられる。
【０００４】
本発明は上記課題に鑑み為されたものであって、本発明の目的は、応答者が相手の情報（会社名、氏名）を聞き取れない場合であっても聞き直すことなく正確に把握し、転送先相手に正確に口頭で伝えることが可能な技術を提供することにある。  
【課題を解決するための手段】
【０００５】
上記課題を解決するために本発明は、保留機能を有する電話装置において、着信に応答して通話を確立すると通話相手の音声を録音する着信応答時録音手段と、通話中に保留操作を検出し予め定められた特定操作を検出した場合または検出しなかった場合に前記録音した音声を再生する保留操作時再生手段と、を有する。
【発明の効果】
【０００６】
本発明によれば、応答者が発信者との通話内容を確認し、発信者の情報（会社名、氏名）を正確に把握し、確実な保留転送の実現を図れる。
【図面の簡単な説明】
【０００７】
【図１】本発明のネットワーク構成
【図２】本発明の電話機端末の機能ブロック図
【図３】本発明の電話端末の動作フロー図
【発明を実施するための形態】
【０００８】
以下、本発明の実施の形態について説明する。図１は、本発明の一実施の形態が適用されたネットワーク構成図である。
図示するように、本実施形態のネットワーク構成図は、回線交換網３に接続する主装置２と、主装置２に収容される電話端末１と、電話端末１の通話相手であり回線交換網３に接続する外部電話端末４とから構成される。
【０００９】
また本実施例では、転送元であり本発明対象の電話端末１−１と外部電話端末４との通話が、回線交換網３と主装置２を通じて確立され、電話端末１−１のユーザが用件を確認後に電話端末１−２に転送する場合を想定している。
【００１０】
図２は、電話端末１−１の機能ブロック図である。図示するように、電話端末1−１はマンマシンインターフェース１０１、通信制御部１０２、呼制御部１０３、操作制御部１０４、保留中操作検知部１０５、通話中操作検知部１０６、着信時オフフック検知部１０７、ハンドセット１０８、音声制御部１０９、音声データ再生部１１０、スピーカー１１１、録音部１１２、録音データ記憶部１１３を有する。マンマシンインターフェース１０１は、ダイヤルキー、フック、保留ボタンなどのマンマシンインターフェースである。通信制御部１０２は、主装置２との通信制御を行う。
【００１１】
呼制御部１０３は、発信、着信、呼出、応答、切断、解放などの呼の制御を行う。操作制御部１０４は、マンマシンインターフェースの操作を検知し、呼制御部１０３に通知する。保留中操作検知部１０５は、保留中のオンフックなどの検知を行い、録音再生停止の指示を行う。
【００１２】
通話中操作検知部１０６は、通話中のオンフックなどの検知を行い、録音停止、自端末録音再生などの指示を行う。着信時オフフック検知部１０７は、着信中のオフフック（応答）検知を行い、録音開始の指示を行う。ハンドセット１０８は、音声の送受話を行う。音声制御部１０９は、音声の録音再生に関する制御を行う。
【００１３】
音声データ再生部１１０は、録音された音声データの再生を行う。スピーカー１１１は、通話音声あるいは録音再生される音声を外部に送出する。録音部１１２は、音声制御部の指示により、録音を開始し、また録音を停止する。録音データ記憶部１１３は、録音データを記憶する。
【００１４】
図３は、本発明の電話端末１−１の動作フロー図である。
電話端末１−１は、主装置２からの着信を検知すると（Ｓ３０１、ＹＥＳ）、着信鳴動を開始し（Ｓ３０２）、自端末のオフフックを着信時オフフック検出部１０７で検知すると（Ｓ３０３，ＹＥＳ）、相手端末４と電話機１−１間の通話を確立し（Ｓ３０４）、通話音声の録音を開始する（Ｓ３０５）。
【００１５】
録音開始後、電話機端末１−１に具備されている保留ボタンの押下を検知すると（Ｓ３０６,ＹＥＳ），Ｓ３０５で開始した録音の停止を行い（Ｓ３０７）、保留処理に入る（Ｓ３０８）。保留処理に入ると直ちにＳ３０５からＳ３０７の間に通話録音した音声の自端末録音再生を行い（Ｓ３０９）、応答者がその再生内容を聞いて、通話相手の情報（会社名、氏名）の確認ができると、詳細説明は省略するが、電話端末に具備された転送機能を利用して転送指示を行うと（Ｓ３１０、ＹＥＳ）、Ｓ３０９で開始した録音再生の停止を行い（Ｓ３１１）、転送処理を行う（Ｓ３１２）。この転送処理の間に、転送先電話機１−２の転送相手に、ここで確認した通話相手の情報（会社名、氏名）を伝え、転送処理を終了すると、電話端末１−１としては、終話処理を行う（Ｓ３１３）。
【００１６】
また、Ｓ３０９の自端末録音再生中に転送指示が行われ（Ｓ３１０、Ｎｏ），保留ボタンを再度押下すると保留ボタンは解除され、それを検知すると通話保留状態を解除し（Ｓ３１４，ＹＥＳ）、Ｓ３０９で開始した自端末録音再生停止を行い（Ｓ３１５）、通話相手との通話再開を行い（Ｓ３１６）、通常呼制御処理に移行する（Ｓ３２０）。
【００１７】
また、Ｓ３０９の自端末録音再生中に転送開始指示もなく（Ｓ３１０、Ｎｏ）、保留解除指示もなく（Ｓ３１４、Ｎｏ）、自端末のオンフックを検知すると（Ｓ３１７、ＹＥＳ）、Ｓ３０９で開始した録音再生停止を行い（Ｓ３１８）、通信相手の保留状態に戻り（S３１９）に戻り、以下通常呼制御処理に移行する（Ｓ３２０）。
【００１８】
また、Ｓ３０５の録音開始中に保留ボタンの押下がなく（Ｓ３０６、Ｎｏ）、自端末のオンフックを検知すると（Ｓ３２１，ＹＥＳ）、通話相手との通話は終了したものと解釈し、Ｓ３０５で開始した録音の停止を行い（Ｓ３２２）、終話処理を行う（Ｓ３２３）。
【００１９】
また、本発明は、Ｓ３０４の着信時通話確立より、通話内容の録音を開始し（Ｓ３０５）、保留ボタン押下検知時（Ｓ３０６、ＹＥＳ）に、録音を停止する（Ｓ３０７）ことで説明したが、保留ボタン押下検知する前であっても、Ｓ３０５の録音開始より、予め定められた所定時間が経過した場合に録音を停止することも可能である。
【００２０】
これは、通話相手の情報（会社名、氏名）等の確認は、通常は通話開始直後に行われるので、あまり長時間録音する意味がないと思われる、したがって、予め所定時間を定めておいて、該所定時間が経過しても、保留ボタン押下がない場合には、通話内容の録音を自動的に停止させるものである。
【００２１】
この場合、録音停止後であっても、保留ボタン押下が検知された場合、所定時間録音されて内容は自動的に自端末録音再生され、通話相手の情報（会社名、氏名）確認に供されることは言うまでもない。
【符号の説明】
【００２２】
１、１−１、１−２    電話端末
２    主装置
３    回線交換網
４    外部電話端末
１０１    マンマシーンインターフェース
１０２    通信制御部
１０３    呼制御部
１０４    操作制御部
１０５    保留中操作検知部
１０６    通話中操作検知部
１０７    着信時オフフック検知部
１０８    ハンドセット
１０９    音声制御部
１１０    音声データ再生部
１１１    スピーカー
１１２    録音部
１１３    録音データ記憶部
【図１】
2012213001.tif 000003
【図２】
2012213001.tif 000004
【図３】
2012213001.tif 000005